(57)【特許請求の範囲】
【請求項１】
送信装置と無線接続され、該送信装置より送信された映像信号を受信し、該映像信号が表す映像を表示する表示装置において、
上記送信装置より通知された送信側ＯＳＤ情報であって、当該表示装置に送信する映像信号に上記送信装置が重畳した送信側ＯＳＤ画像の種類を示す送信側ＯＳＤ情報を取得する表示側取得手段と、
表示する映像信号に表示側ＯＳＤ画像を重畳するか否かを、上記表示側取得手段が取得した上記送信側ＯＳＤ情報の示す上記送信側ＯＳＤ画像の種類と当該表示側ＯＳＤ画像の種類とに応じて決定する重畳制御手段と、
上記重畳制御手段が上記表示側ＯＳＤ画像を重畳すると決定した場合、上記送信装置より受信した映像信号に対して当該表示側ＯＳＤ画像を重畳する表示側重畳手段と、
上記表示側取得手段が上記送信装置より受信した映像信号から取得した、該映像信号に重畳されている上記送信側ＯＳＤ画像の種類を示す上記送信側ＯＳＤ情報を記憶する表示側ＯＳＤ情報記憶部と、を備え、
上記表示側取得手段は、上記送信装置が当該表示装置に最後に送信した映像信号に重畳されていた上記送信側ＯＳＤ画像の種類を示す上記送信側ＯＳＤ情報が、上記表示装置から上記送信装置へ問い合わせることなく、上記送信装置から上記表示装置へ、一定時間が経過する毎に送信されることによって、上記送信側ＯＳＤ情報を定期的に取得し、当該送信側ＯＳＤ情報によって、上記表示側ＯＳＤ情報記憶部に記憶されている上記送信側ＯＳＤ情報を更新することを特徴とする表示装置。
【請求項２】
上記重畳制御手段に対して上記映像信号への上記表示側ＯＳＤ画像の重畳を要求する重畳要求手段と、
上記重畳要求手段が重畳を要求した上記表示側ＯＳＤ画像の種類を示す表示側ＯＳＤ情報を上記送信装置に通知する表示側通知手段と、をさらに備えることを特徴とする請求項１に記載の表示装置。
【請求項３】
上記送信装置との通信が切断されたとき、上記表示側取得手段が、上記表示側ＯＳＤ情報記憶部に記憶されている上記送信側ＯＳＤ情報を消去することを特徴とする請求項１に記載の表示装置。
【請求項４】
送信装置と無線接続され、該送信装置より送信された映像信号を受信し、該映像信号が
表す映像を表示する表示装置の制御方法において、
上記送信装置より通知された送信側ＯＳＤ情報であって、当該表示装置に送信する映像信号に上記送信装置が重畳した送信側ＯＳＤ画像の種類を示す送信側ＯＳＤ情報を取得する表示側取得ステップと、
上記表示側取得ステップにおいて上記送信装置より受信した映像信号から取得された、該映像信号に重畳されている上記送信側ＯＳＤ画像の種類を示す上記送信側ＯＳＤ情報を表示側ＯＳＤ情報記憶部に記憶する送信側ＯＳＤ情報記憶ステップと、
表示する映像信号に表示側ＯＳＤ画像を重畳するか否かを、上記表示側取得ステップにて取得した上記送信側ＯＳＤ情報の示す上記送信側ＯＳＤ画像の種類と当該表示側ＯＳＤ画像の種類とに応じて決定する重畳制御ステップと、
上記重畳制御ステップにて上記表示側ＯＳＤ画像を重畳すると決定した場合、上記送信装置より受信した映像信号に対して当該表示側ＯＳＤ画像を重畳する表示側重畳ステップと、を含み、
上記表示側取得ステップにおいて、上記送信装置が当該表示装置に最後に送信した映像信号に重畳されていた上記送信側ＯＳＤ画像の種類を示す上記送信側ＯＳＤ情報が、上記表示装置から上記送信装置へ問い合わせることなく、上記送信装置から上記表示装置へ、一定時間が経過する毎に送信されることによって、上記送信側ＯＳＤ情報を定期的に取得し、当該送信側ＯＳＤ情報によって、上記表示側ＯＳＤ情報記憶部に記憶されている上記送信側ＯＳＤ情報を更新することを特徴とする表示装置の制御方法。
【請求項５】
表示装置と無線接続され、映像信号を該表示装置に送信する送信装置において、
上記表示装置に送信する映像信号に送信側ＯＳＤ画像を重畳する送信側重畳手段と、
上記送信側重畳手段が重畳した送信側ＯＳＤ画像の種類を示す送信側ＯＳＤ情報を上記表示装置に通知する送信側通知手段と、
上記表示装置において映像信号への重畳が要求された表示側ＯＳＤ画像の種類を示す表示側ＯＳＤ情報が、上記送信装置から上記表示装置へ問い合わせることなく、上記表示装置から上記送信装置へ、一定時間が経過する毎に送信されることによって、上記表示側ＯＳＤ情報を、定期的に取得する送信側取得手段と、
上記送信側取得手段が上記表示装置より取得した上記表示側ＯＳＤ情報を記憶する送信側ＯＳＤ情報記憶部と、を備えることを特徴とする送信装置。
【請求項６】
上記送信側通知手段は、定期的に、当該送信装置が上記表示装置に最後に送信した映像信号に重畳した上記送信側ＯＳＤ画像の種類を示す上記送信側ＯＳＤ情報を上記表示装置に送信することを特徴とする請求項５に記載の送信装置。
【請求項７】
上記表示装置との通信が切断されたとき、上記送信側取得手段が、上記送信側ＯＳＤ情報記憶部に記憶されている上記表示側ＯＳＤ情報を消去することを特徴とする請求項５に記載の送信装置。
【請求項８】
表示装置と無線接続され、映像信号を該表示装置に送信する送信装置の制御方法において、
上記表示装置に送信する映像信号に送信側ＯＳＤ画像を重畳する送信側重畳ステップと、
上記送信側重畳ステップにて重畳した送信側ＯＳＤ画像の種類を示す送信側ＯＳＤ情報を上記表示装置に通知する送信側通知ステップと、
上記表示装置において映像信号への重畳が要求された表示側ＯＳＤ画像の種類を示す表示側ＯＳＤ情報が、上記送信装置から上記表示装置へ問い合わせることなく、上記表示装置から上記送信装置へ、一定時間が経過する毎に送信されることによって、上記表示側ＯＳＤ情報を、定期的に取得する送信側取得ステップと、
上記送信側取得ステップが上記表示装置より取得した上記表示側ＯＳＤ情報を送信側ＯＳＤ情報記憶部に記憶する表示側ＯＳＤ情報記憶ステップと、を含むことを特徴とする送信装置の制御方法。
【請求項９】
請求項１から３のいずれか１項に記載の表示装置と、請求項５から７のいずれか１項に記載の送信装置と、を含むことを特徴とする表示システム。
【請求項１０】
請求項１から３のいずれか１項に記載の表示装置を動作させるための制御プログラムであって、コンピュータを前記各手段として機能させるための制御プログラム。
【請求項１１】
請求項５から７のいずれか１項に記載の送信装置を動作させるための制御プログラムであって、コンピュータを前記各手段として機能させるための制御プログラム。
【請求項１２】
請求項１０または１１に記載の制御プログラムを記録したコンピュータ読み取り可能な記録媒体。
【発明の詳細な説明】
【技術分野】
【０００１】
本発明は、映像信号を送信する送信装置と、送信された映像信号を受信して表示する表示装置に係り、特に連動動作するＯＳＤの表示制御を行う表示装置、送信装置、表示システム、表示装置の制御方法、送信装置の制御方法、制御プログラムおよび記録媒体に関するものである。
【背景技術】
【０００２】
近年、接続したディスプレイに映像信号を送信可能なデジタル機器が増えている。また、そのようなデジタル機器が増えたことにより、ディスプレイとデジタル機器との間での連携動作も行われるようになり、操作性も改善されてきている。さらに、接続方法も有線接続から無線を用いた接続方法に移行しつつある。
【０００３】
特許文献１には、コントローラ機器およびターゲット機器それぞれが合成するＯＳＤ表示の状態を適切に制御するコントローラ機器としての映像処理装置、およびターゲット機器としての映像処理装置が記載されている。具体的には、コントローラ機器のＯＳＤ状態確認部は、１３９４バスを介して、ターゲット機器のＯＳＤ制御部に確認指示を送り、ＯＳＤ合成部の表示状態を確認させ、その表示確認結果を１３９４バスを介して通知させる。コントローラ機器の操作選択部は、ＯＳＤ状態確認結果をもとに、入力部からの入力を、ターゲット機器のＯＳＤ制御部とコントローラ機器のＯＳＤ制御部のどちらに送るかを選択する。このように、コントローラ機器側でターゲット機器側のＯＳＤ表示状態を確認し、それに応じてコントローラ機器側のＯＳＤ表示やリモコンからの操作の操作対象を決定することができるため、適切な表示内容及び操作が可能となる。
【先行技術文献】
【特許文献】
【０００４】
【特許文献１】特開２００２−１０８３２６号公報（２００２年４月１０日公開）
【発明の概要】
【発明が解決しようとする課題】
【０００５】
ところが、上記従来の構成では、ディスプレイおよび外部接続のデジタル機器それぞれに用意されている、さまざまな機能を設定するためのメニューの操作を行うたびに、相手機器の状態を確認し、メニューの排他表示制御および操作対象の決定を行う必要があるので、操作性が損なわれる可能性がある。
【０００６】
また、ディスプレイと外部接続のデジタル機器とを無線で接続したシステムにおいて、連動動作するメニューを開いているときに、接続状態の悪化により接続が切れてしまった場合、誤った情報でそのまま設定されてしまうと機器間の状態に齟齬が生じたり、本来、設定できない状態となっているのに設定メニューがそのまま表示され続けてしまい、ユーザが操作してしまうなどの混乱を招く、という問題が生ずる。
【０００７】
本発明は、上記の問題点を解決するためになされたもので、その目的は、ディスプレイおよびそれに接続して連動動作が可能な接続機器のそれぞれのメニュー等のＯＳＤ表示を当該ディスプレイに適切に表示することができる表示装置、送信装置、表示システム、表示装置の制御方法、送信装置の制御方法、制御プログラムおよび記録媒体を提供することにある。
【課題を解決するための手段】
【０００８】
上記課題を解決するために、本発明に係る表示装置は、送信装置より送信された映像信号を受信し、該映像信号が表す映像を表示する表示装置において、上記送信装置より通知された送信側ＯＳＤ情報であって、当該表示装置に送信する映像信号に上記送信装置が重畳した送信側ＯＳＤ画像の種類を示す送信側ＯＳＤ情報を取得する表示側取得手段と、表示する映像信号に表示側ＯＳＤ画像を重畳するか否かを、上記表示側取得手段が取得した上記送信側ＯＳＤ情報の示す上記送信側ＯＳＤ画像の種類と当該表示側ＯＳＤ画像の種類とに応じて決定する重畳制御手段と、上記重畳制御手段が上記表示側ＯＳＤ画像を重畳すると決定した場合、上記送信装置より受信した映像信号に対して当該表示側ＯＳＤ画像を重畳する表示側重畳手段とを備えることを特徴としている。
【０００９】
また、本発明に係る表示装置の制御方法は、送信装置より送信された映像信号を受信し、該映像信号が表す映像を表示する表示装置の制御方法において、上記送信装置より通知された送信側ＯＳＤ情報であって、当該表示装置に送信する映像信号に上記送信装置が重畳した送信側ＯＳＤ画像の種類を示す送信側ＯＳＤ情報を取得する表示側取得ステップと、表示する映像信号に表示側ＯＳＤ画像を重畳するか否かを、上記表示側取得ステップにて取得した上記送信側ＯＳＤ情報の示す上記送信側ＯＳＤ画像の種類と当該表示側ＯＳＤ画像の種類とに応じて決定する重畳制御ステップと、上記重畳制御ステップにて上記表示側ＯＳＤ画像を重畳すると決定した場合、上記送信装置より受信した映像信号に対して当該表示側ＯＳＤ画像を重畳する表示側重畳ステップとを含むことを特徴としている。
【００１０】
上記の構成により、映像信号に重畳された送信装置のＯＳＤ画像の種類と、表示装置として表示が必要となったＯＳＤ画像の種類に応じて、同時表示あるいは排他表示の制御を行うことができる。すなわち、連動動作を行う際に瞬時に次の動作の判断ができ、また、無線接続されている場合などにおいて接続状態の悪化により接続が切れた時にも連動動作の状態や設定値などに齟齬が出ないようにすることが可能となる。
【００１１】
したがって、操作対象となるメニューを適切に表示できるので、操作を行うときに操作対象の決定を行う必要もなく、高い操作性を持つことができる。
【００１２】
さらに、本発明に係る表示装置は、上記表示側取得手段が、上記送信装置より受信した映像信号から取得した、該映像信号に重畳されている上記送信側ＯＳＤ画像の種類を示す上記送信側ＯＳＤ情報を記憶する表示側ＯＳＤ情報記憶部を備えるとともに、上記表示側取得手段は、定期的に、上記送信装置が当該表示装置に最後に送信した映像信号に重畳されていた上記送信側ＯＳＤ画像の種類を示す上記送信側ＯＳＤ情報を取得し、当該送信側ＯＳＤ情報によって、上記表示側ＯＳＤ情報記憶部に記憶されている上記送信側ＯＳＤ情報を更新することを特徴としている。
【００１３】
上記の構成により、定期的（例えば、システムに負荷がかかりすぎない程度の一定間隔）に、送信装置のＯＳＤ画像の種類を示す送信側ＯＳＤ情報を取得することができる。
【００１４】
したがって、表示装置は常に送信装置のＯＳＤ画像の種類を把握しているので、表示装置から表示側ＯＳＤ画像（例えばメニュー）を表示したい時に、送信側ＯＳＤ画像の表示状態を送信装置に確認する必要がないため、瞬時に次の動作の判断ができる。
【００１５】
さらに、本発明に係る表示装置は、上記重畳制御手段に対して上記映像信号への上記表示側ＯＳＤ画像の重畳を要求する重畳要求手段と、上記重畳要求手段が重畳を要求した上記表示側ＯＳＤ画像の種類を示す表示側ＯＳＤ情報を上記送信装置に通知する表示側通知手段と、をさらに備えることを特徴としている。
【００１６】
上記の構成により、定期的（例えば、システムに負荷がかかりすぎない程度の一定間隔）に、表示装置のＯＳＤ画像の種類を示す表示側ＯＳＤ情報を、送信装置に送信することができる。
【００１７】
したがって、送信装置は常に表示装置のＯＳＤ画像の種類を把握しているので、送信装置から送信側ＯＳＤ画像（例えばメニュー）を表示したい時に、表示側ＯＳＤ画像の表示状態を表示装置に確認する必要がないため、瞬時に次の動作の判断ができる。
【００１８】
さらに、本発明に係る表示装置は、上記送信装置との通信が切断されたとき、上記表示側取得手段が、上記表示側ＯＳＤ情報記憶部に記憶されている上記送信側ＯＳＤ情報を消去することを特徴としている。
【００１９】
上記の構成により、連動動作している送信装置との接続状態を見て、接続状態悪化により接続が切れた時に、送信装置との間で連動動作するメニュー等のＯＳＤ画像が開いていた場合には、そのＯＳＤ画像の表示を解除することが可能となる。
【００２０】
したがって、連動動作の状態や設定値などに齟齬が出ないようにできる。これにより、無線通信による連携を行ったときに発生する有線通信では生じえない状態にも対応可能である。
【００２１】
上記課題を解決するために、本発明に係る送信装置は、映像信号を表示装置に送信する送信装置において、上記表示装置に送信する映像信号に送信側ＯＳＤ画像を重畳する送信側重畳手段と、上記送信側重畳手段が重畳した送信側ＯＳＤ画像の種類を示す送信側ＯＳＤ情報を上記表示装置に通知する送信側通知手段とを備えていることを特徴としている。
【００２２】
また、本発明に係る送信装置の制御方法は、映像信号を表示装置に送信する送信装置の制御方法において、上記表示装置に送信する映像信号に送信側ＯＳＤ画像を重畳する送信側重畳ステップと、上記送信側重畳ステップにて重畳した送信側ＯＳＤ画像の種類を示す送信側ＯＳＤ情報を上記表示装置に通知する送信側通知ステップとを含むことを特徴としている。
【００２３】
上記の構成により、送信装置が重畳した送信側ＯＳＤ画像の種類を示す送信側ＯＳＤ情報を表示装置に送信するので、表示装置が映像信号に重畳されたＯＳＤ情報を利用することができる。それゆえ、表示装置が、映像信号に重畳された送信装置のＯＳＤ画像の種類と、表示装置として表示が必要となったＯＳＤ画像の種類に応じて、同時表示あるいは排他表示の制御を行うことが可能となる。すなわち、連動動作を行う際に瞬時に次の動作の判断ができ、また、無線接続されている場合などにおいて接続状態の悪化により接続が切れた時にも連動動作の状態や設定値などに齟齬が出ないようにすることが可能となる。
【００２４】
したがって、操作対象となるメニューを適切に表示できるので、操作を行うときに操作対象の決定を行う必要もなく、高い操作性を持つことができる。
【００２５】
さらに、本発明に係る送信装置は、上記表示装置において映像信号への重畳が要求された表示側ＯＳＤ画像の種類を示す表示側ＯＳＤ情報を、定期的に取得する送信側取得手段と、上記送信側取得手段が上記表示装置より取得した上記表示側ＯＳＤ情報を記憶する送信側ＯＳＤ情報記憶部とをさらに備えることを特徴としている。
【００２６】
上記の構成により、定期的（例えば、システムに負荷がかかりすぎない程度の一定間隔）に、表示装置のＯＳＤ画像の種類を示す表示側ＯＳＤ情報を取得することができる。
【００２７】
したがって、送信装置は常に表示装置のＯＳＤ画像の種類を把握しているので、送信装置から送信側ＯＳＤ画像（例えばメニュー）を表示したい時に、表示側ＯＳＤ画像の表示状態を表示装置に確認する必要がないため、瞬時に次の動作の判断ができる。
【００２８】
さらに、本発明に係る送信装置は、上記送信側通知手段は、定期的に、当該送信装置が上記表示装置に最後に送信した映像信号に重畳した上記送信側ＯＳＤ画像の種類を示す上記送信側ＯＳＤ情報を上記表示装置に送信することを特徴としている。
【００２９】
上記の構成により、定期的（例えば、システムに負荷がかかりすぎない程度の一定間隔）に、送信装置のＯＳＤ画像の種類を示す送信側ＯＳＤ情報を、表示装置に送信することができる。
【００３０】
したがって、表示装置は常に送信装置のＯＳＤ画像の種類を把握しているので、表示装置から表示側ＯＳＤ画像（例えばメニュー）を表示したい時に、送信側ＯＳＤ画像の表示状態を送信装置に確認する必要がないため、瞬時に次の動作の判断ができる。
【００３１】
さらに、本発明に係る送信装置は、上記表示装置との通信が切断されたとき、上記送信側取得手段が、上記送信側ＯＳＤ情報記憶部に記憶されている上記表示側ＯＳＤ情報を消去することを特徴としている。
【００３２】
上記の構成により、連動動作している表示装置との接続状態を見て、接続状態悪化により接続が切れた時に、表示装置との間で連動動作するメニュー等のＯＳＤ画像が開いていた場合には、表示装置が当該ＯＳＤ画像の表示を解除することが想定できる。そこで、通信が切断された時、送信装置において、送信側ＯＳＤ情報記憶部に記憶されている表示側ＯＳＤ情報を消去することにより、表示装置におけるＯＳＤ画像の表示の解除に対応することができる。
【００３３】
したがって、連動動作の状態や設定値などに齟齬が出ないようにできる。これにより、無線通信による連携を行ったときに発生する有線通信では生じえない状態にも対応可能である。
【００３４】
本発明に係る表示システムは、上記いずれかの表示装置および送信装置を含むことを特徴としている。
【００３５】
なお、上記表示装置および送信装置は、コンピュータによって実現してもよく、この場合には、コンピュータを上記各手段として動作させることにより上記表示装置および送信装置をコンピュータにて実現させる表示装置および送信装置の制御プログラム、およびそれを記録したコンピュータ読み取り可能な記録媒体も、本発明の範疇に入る。
【発明の効果】
【００３６】
以上のように、本発明に係る表示装置は、送信装置より通知された送信側ＯＳＤ情報であって、当該表示装置に送信する映像信号に上記送信装置が重畳した送信側ＯＳＤ画像の種類を示す送信側ＯＳＤ情報を取得する表示側取得手段と、表示する映像信号に表示側ＯＳＤ画像を重畳するか否かを、上記表示側取得手段が取得した上記送信側ＯＳＤ情報の示す上記送信側ＯＳＤ画像の種類と当該表示側ＯＳＤ画像の種類とに応じて決定する重畳制御手段と、上記重畳制御手段が上記表示側ＯＳＤ画像を重畳すると決定した場合、上記送信装置より受信した映像信号に対して当該表示側ＯＳＤ画像を重畳する表示側重畳手段とを備える構成である。
【００３７】
また、本発明に係る表示装置の制御方法は、送信装置より通知された送信側ＯＳＤ情報
であって、当該表示装置に送信する映像信号に上記送信装置が重畳した送信側ＯＳＤ画像の種類を示す送信側ＯＳＤ情報を取得する表示側取得ステップと、表示する映像信号に表示側ＯＳＤ画像を重畳するか否かを、上記表示側取得ステップにて取得した上記送信側ＯＳＤ情報の示す上記送信側ＯＳＤ画像の種類と当該表示側ＯＳＤ画像の種類とに応じて決定する重畳制御ステップと、上記重畳制御ステップにて上記表示側ＯＳＤ画像を重畳すると決定した場合、上記送信装置より受信した映像信号に対して当該表示側ＯＳＤ画像を重畳する表示側重畳ステップとを含む方法である。
【００３８】
それゆえ、操作対象となるメニューを適切に表示できるので、操作を行うときに操作対象の決定を行う必要もなく、高い操作性を持つことができるという効果を奏する。
【００３９】
本発明に係る送信装置は、表示装置に送信する映像信号に送信側ＯＳＤ画像を重畳する送信側重畳手段と、上記送信側重畳手段が重畳した送信側ＯＳＤ画像の種類を示す送信側ＯＳＤ情報を上記表示装置に通知する送信側通知手段とを備える構成である。
【００４０】
また、本発明に係る送信装置の制御方法は、表示装置に送信する映像信号に送信側ＯＳＤ画像を重畳する送信側重畳ステップと、上記送信側重畳ステップにて重畳した送信側ＯＳＤ画像の種類を示す送信側ＯＳＤ情報を上記表示装置に通知する送信側通知ステップとを含む方法である。
【００４１】
それゆえ、操作対象となるメニューを適切に表示できるので、操作を行うときに操作対象の決定を行う必要もなく、高い操作性を持つことができるという効果を奏する。
【図面の簡単な説明】
【００４２】
【図１】本発明の一実施の形態に係る表示装置および送信装置よりなるＯＳＤ表示システムの概略構成を示す機能ブロック図である。
【図２】図１に示すＯＳＤ表示システムの概要を示す説明図である。
【図３】図１に示すＯＳＤ表示システムの送信装置および表示装置のハードウェア構成を示すブロック図である。
【図４】図１に示すＯＳＤ表示システムにおけるＯＳＤ表示制御処理のうち、定期通信処理の流れの一例を示すフローチャートである。
【図５】図１に示すＯＳＤ表示システムにおけるＯＳＤ表示制御処理のうち、定期通信処理の流れの一例を示すシーケンス図である。
【図６】図１に示すＯＳＤ表示システムにおけるＯＳＤ表示制御処理のうち、ＯＳＤ画像排他表示処理の流れの一例を示すフローチャートである。
【図７】図１に示すＯＳＤ表示システムにおけるＯＳＤ表示制御処理のうち、ＯＳＤ画像排他表示処理の流れの一例を示すシーケンス図である。
【図８】図１に示すＯＳＤ表示システムにおけるＯＳＤ表示制御処理のうち、表示装置のＯＳＤ画像を表示中の通信切断時の処理の流れの一例を示すフローチャートである。
【図９】図１に示すＯＳＤ表示システムにおけるＯＳＤ表示制御処理のうち、表示装置のＯＳＤ画像を表示中の通信切断時の処理の流れの一例を示すシーケンス図である。
【図１０】図１に示すＯＳＤ表示システムにおけるＯＳＤ表示制御処理のうち、送信装置のＯＳＤ画像を表示中の通信切断時の処理の流れの一例を示すフローチャートである。
【図１１】図１に示すＯＳＤ表示システムにおけるＯＳＤ表示制御処理のうち、送信装置のＯＳＤ画像を表示中の通信切断時の処理の流れの一例を示すシーケンス図である。
【図１２】図１に示す表示装置の重畳制御部が参照するＯＳＤ種類別同時／排他表示の定義テーブルの一例である。
【図１３】図１に示す表示装置の重畳制御部が参照するＯＳＤ種類別優先表示の定義テーブルの一例である。
【図１４】図１に示す表示装置が表示する全画面ＯＳＤの表示例を示す説明図である。
【図１５】図１に示す表示装置が表示する映像ありＯＳＤの表示例を示す説明図である。
【図１６】（ａ）〜（ｃ）は、図１に示す表示装置が表示する小さめなＯＳＤ画像の表示例を示す説明図である。
【発明を実施するための形態】
【００４３】
本発明の一実施の形態について、図１〜図１６に基づいて詳細に説明する。
【００４４】
〔ＯＳＤ表示システム１の概要〕
図２は、本実施の形態に係るＯＳＤ表示システム（表示システム）１の概要を示す説明図である。
【００４５】
図２に示すように、ＯＳＤ表示システム１は、送信装置１０と表示装置３０とが双方向通信路を介して通信可能に接続されてなる。送信装置１０は、送信側ＯＳＤ重畳映像信号（映像信号）を表示装置３０に送信する装置である。表示装置３０は、送信装置１０より送信された送信側ＯＳＤ重畳映像信号（映像信号）を受信し、該送信側ＯＳＤ重畳映像信号（映像信号）が表す映像を表示する装置である。ここで、表示装置３０は、特に、送信装置１０が送信側ＯＳＤ重畳映像信号に重畳した送信側ＯＳＤ画像の種類を取得し、ディスプレイ３７に表示する表示側ＯＳＤ重畳映像信号（映像信号）に表示側ＯＳＤ画像を重畳するか否かを、取得した上記送信側ＯＳＤ画像の種類と当該表示側ＯＳＤ画像の種類とに応じて決定する。
【００４６】
図２は、ＳＴＢである送信装置１０が、送信側ＯＳＤ画像を重畳した送信側ＯＳＤ重畳映像信号を双方向通信路を介して表示装置３０に送信し、表示装置３０が、さらに表示側ＯＳＤ画像を重畳して生成した表示側ＯＳＤ重畳映像信号により、ディスプレイ３７に映像を表示している状態を示している。図２では、表示装置３０において、送信側ＯＳＤ画像の種類と表示側ＯＳＤ画像の種類との組み合わせに基づいて判断した結果、送信側ＯＳＤ画像と表示側ＯＳＤ画像とを同時に表示している状態を示している。
【００４７】
ここで、送信側ＯＳＤ画像は、送信装置１０をユーザが操作するためのメニューや警告等を表示する画像である。また、表示側ＯＳＤ画像は、表示装置３０をユーザが操作するためのメニューや警告等を表示する画像である。
【００４８】
〔送信装置１０および表示装置３０の構成〕
図１は、送信装置１０および表示装置３０よりなるＯＳＤ表示システム１の概略構成を示す機能ブロック図である。
【００４９】
図１に示すように、ＯＳＤ表示システム１は、送信装置１０と表示装置３０とが通信可能に接続されてなる。なお、本明細書においては、「送信側」は、送信装置１０が備える機能ブロックや送信装置１０が生成する情報等に付与し、「送信装置１０側」であることを示す。また、「表示側」は、表示装置３０が備える機能ブロックや表示装置３０が生成する情報等に付与し、「表示装置３０側」であることを示す。
【００５０】
送信装置１０は、映像供給部１１、送信側重畳部（送信側重畳手段）１２、送信側ＯＳＤ画像記憶部１３、送信側重畳制御部１４、送信側重畳状態情報記憶部（送信側ＯＳＤ情報記憶部）１５、送信側重畳状態情報交換部（送信側通知手段、送信側取得手段）１６、送信側通信部１７を備えて構成されている。
【００５１】
映像供給部１１は、ソース映像信号を取得し、送信側重畳部１２に供給する。なお、本実施の形態におけるソース映像信号は、地上デジタル放送、ＣＳ放送、ＢＳ放送などの放送系ソースから供給される映像信号に限定されない。例えば、ＩＰＴＶやＶＯＤなどの通信系ソース、ハードディスクドライブや光ディスクドライブなどの媒体系ソース、又は、ウェブブラウザやＵＳＢアプリケーション（ＵＳＢメモリに格納されたコンテンツを再生するアプリケーション）などのアプリケーション系ソースから供給される映像信号も、上記ソース映像信号の一例である。また、上記ソース映像信号は、動画像を表す映像信号に限定されず、静止画像を表す映像信号であってもよい。また、アプリケーション系ソースから供給される映像信号のように、ＵＩ（ユーザインタフェース）を表す映像信号であってもよい。
【００５２】
送信側重畳制御部１４は、ユーザ操作等のイベントに応じて、送信側重畳部１２に対してソース映像信号への送信側ＯＳＤ画像の重畳を要求する。
【００５３】
送信側重畳部１２は、送信側重畳制御部１４からの重畳指示に従って、指示された送信側ＯＳＤ画像を送信側ＯＳＤ画像記憶部１３より取得して、送信側ＯＳＤ重畳映像信号に重畳する。なお、送信側ＯＳＤ画像記憶部１３には、送信側重畳部１２が重畳する送信側ＯＳＤ画像があらかじめ格納されている。そして、送信側ＯＳＤ画像記憶部１３には、送信側ＯＳＤ画像が画像データの形態で格納されていてもよいし、送信側重畳部１２が重畳する際に画像に変換可能な文字等のデータの形態で格納されていてもよい。
【００５４】
送信側重畳状態情報記憶部１５は、送信側重畳制御部１４が重畳を指示した送信側ＯＳＤ画像の種類を示す送信側ＯＳＤ情報Ｐを記憶する。また、送信側重畳状態情報記憶部１５は、送信側重畳状態情報交換部１６が表示装置３０より取得した表示側ＯＳＤ情報Ｑおよび表示状態情報Ｒを記憶する。
【００５５】
送信側重畳状態情報交換部１６は、送信側重畳部１２が重畳した送信側ＯＳＤ画像の種類を示す送信側ＯＳＤ情報Ｐを表示装置３０に通知する。また、送信側重畳状態情報交換部１６は、表示装置３０において送信側ＯＳＤ重畳映像信号への重畳が要求された表示側ＯＳＤ画像の種類を示す表示側ＯＳＤ情報Ｑおよび実際にディスプレイ３７に表示されたＯＳＤ画像を示す表示状態情報Ｒを、定期的に取得する。また、送信側重畳状態情報交換部１６は、定期的に、当該送信装置１０が表示装置３０に最後に送信した送信側ＯＳＤ重畳映像信号に重畳した送信側ＯＳＤ画像の種類を示す送信側ＯＳＤ情報Ｐを表示装置３０に送信する。
【００５６】
また、送信側重畳状態情報交換部１６は、表示装置３０との通信が切断されたとき、送信側重畳状態情報記憶部１５に記憶されている表示側ＯＳＤ情報Ｑおよび表示状態情報Ｒを消去する。なお、送信側重畳状態情報交換部１６は、この消去に合わせて、送信側ＯＳＤ情報Ｐを消去してもよい。
【００５７】
送信側通信部１７は、表示装置３０と無線あるいは優先により通信を行うインターフェイスである。
【００５８】
また、表示装置３０は、表示側通信部３１、操作入力部３２、表示側重畳指示部（重畳要求手段）３３、重畳制御部（重畳制御手段）３４、表示側重畳部（表示側重畳手段）３５、表示側ＯＳＤ画像記憶部３６、ディスプレイ３７、重畳制御用情報記憶部３８、表示側重畳状態情報記憶部（表示側ＯＳＤ情報記憶部）３９、表示側重畳状態情報交換部（表示側取得手段、表示側通知手段）４０を備えて構成されている。
【００５９】
表示側通信部３１は、送信装置１０と無線あるいは優先により通信を行うインターフェ
イスである。
【００６０】
操作入力部３２は、リモコンやボタンを介してユーザの操作入力を取得するインターフェイスである。
【００６１】
表示側重畳指示部３３は、操作入力部３２が取得したユーザ操作等のイベントに応じて、重畳制御部３４に対して送信側ＯＳＤ重畳映像信号への表示側ＯＳＤ画像の重畳を要求する。
【００６２】
重畳制御部３４は、ディスプレイ３７に表示する表示側ＯＳＤ重畳映像信号に表示側ＯＳＤ画像を重畳するか否かを、表示側重畳状態情報交換部４０が取得した送信側ＯＳＤ情報Ｐの示す送信側ＯＳＤ画像の種類と当該表示側ＯＳＤ画像の種類とに応じて決定する。この決定を行う際、重畳制御部３４は、重畳制御用情報記憶部３８に格納されているＯＳＤ種類別同時／排他表示の定義テーブルＴ１（図１２）およびＯＳＤ種類別優先表示の定義テーブルＴ２（図１３）を参照する。なお、この決定方法の詳細については後述する。
【００６３】
表示側重畳部３５は、重畳制御部３４が表示側ＯＳＤ画像を重畳すると決定した場合、送信装置１０より受信した送信側ＯＳＤ重畳映像信号に対して当該表示側ＯＳＤ画像を重畳して、表示側ＯＳＤ重畳映像信号を生成する。すなわち、表示側重畳部３５は、重畳制御部３４から重畳指示を受けたとき、それに従って、指示された表示側ＯＳＤ画像を表示側ＯＳＤ画像記憶部３６より取得して、表示側ＯＳＤ重畳映像信号に重畳する。これに対して、表示側重畳部３５は、重畳制御部３４から非重畳指示を受けたとき、表示側ＯＳＤ画像を重畳せず、受信した送信側ＯＳＤ重畳映像信号をそのまま表示側ＯＳＤ重畳映像信号として出力する。なお、表示側ＯＳＤ画像記憶部３６には、表示側重畳部３５が重畳する表示側ＯＳＤ画像があらかじめ格納されている。そして、表示側ＯＳＤ画像記憶部３６には、表示側ＯＳＤ画像が画像データの形態で格納されていてもよいし、表示側重畳部３５が重畳する際に画像に変換可能な文字等のデータの形態で格納されていてもよい。
【００６４】
ディスプレイ３７は、映像信号に従って映像を表示する、ＬＣＤ等の表示装置である。
【００６５】
表示側重畳状態情報記憶部３９は、表示側重畳状態情報交換部４０が、送信装置１０より受信した送信側ＯＳＤ重畳映像信号から取得した、該送信側ＯＳＤ重畳映像信号に重畳されている送信側ＯＳＤ画像の種類を示す送信側ＯＳＤ情報Ｐを記憶する。また、表示側重畳状態情報記憶部３９は、表示側重畳指示部３３が重畳制御部３４に重畳を指示した表示側ＯＳＤ画像の種類を示す表示側ＯＳＤ情報Ｑを記憶する。さらに、表示側重畳状態情報記憶部３９は、重畳制御部３４の決定により実際にディスプレイ３７に表示されたＯＳＤ画像を示す表示状態情報Ｒを記憶する。
【００６６】
表示側重畳状態情報交換部４０は、送信装置１０より送信側ＯＳＤ重畳映像信号を受信したとき、送信側ＯＳＤ重畳映像信号に含まれる送信側ＯＳＤ情報Ｐを抽出して取得する。この送信側ＯＳＤ情報Ｐは、送信装置１０が送信側ＯＳＤ重畳映像信号に重畳した送信側ＯＳＤ画像の種類を示すものであり、送信装置１０が送信側ＯＳＤ重畳映像信号に含めて送信したものである。
【００６７】
また、表示側重畳状態情報交換部４０は、定期的に（例えば、２〜３秒程度の待機時間毎）、送信装置１０が当該表示装置３０に最後に送信した送信側ＯＳＤ重畳映像信号に重畳されていた送信側ＯＳＤ画像の種類を示す送信側ＯＳＤ情報Ｐを取得し、当該送信側ＯＳＤ情報Ｐによって、表示側重畳状態情報記憶部３９に記憶されている送信側ＯＳＤ情報Ｐを更新する。また、表示側重畳状態情報交換部４０は、表示側ＯＳＤ情報Ｑおよび表示状態情報Ｒを、ディスプレイ３７の表示が変化した時あるいは定期的に送信装置１０に通
知する。
【００６８】
また、表示側重畳状態情報交換部４０は、送信装置１０との通信が切断されたとき、表示側重畳状態情報記憶部３９に記憶されている送信側ＯＳＤ情報Ｐを消去する。なお、表示側重畳状態情報交換部４０は、この消去に合わせて、表示側ＯＳＤ情報Ｑおよび表示状態情報Ｒを消去してもよい。
【００６９】
図３は、ＯＳＤ表示システム１の送信装置１０および表示装置３０のハードウェア構成を示すブロック図である。
【００７０】
図３に示すように、送信装置１０は、ＤＴＶ／ＢＳアンテナ１０１、チューナ１０２、デモジュレータ１０３、デマルチプレクサ１０４、制御回路１０５、ＤＲＭ暗号化部１０６、無線ＨＤＭＩモジュール１０７、操作ボタン１０８、インジケータ１０９、電源部１１０を備えて構成されている。また、送信装置１０は、本実施の形態に係るＯＳＤ表示制御処理に用いるデータを記憶するメモリ等の記憶部（図示せず）を備えている。
【００７１】
また、表示装置３０は、無線ＨＤＭＩモジュール３０１、ＤＲＭ複合部３０２、制御回路３０３、パネルコントローラ３０４、ディスプレイ３７、リモコン３０６、リモコン受光部３０７、操作ボタン３０８、インジケータ３０９、電源部３１０、ＨＤＭＩトランスミッタ／レシーバ３１１を備えて構成されている。ＨＤＭＩトランスミッタ／レシーバ３１１には、外部機器３１２が接続されてもよい。また、表示装置３０は、本実施の形態に係るＯＳＤ表示制御処理に用いるデータを記憶するメモリ等の記憶部（図示せず）を備えている。
【００７２】
送信装置１０と表示装置３０とは、無線ＨＤＭＩモジュール１０７および無線ＨＤＭＩモジュール３０１により、双方向通信路を介して通信可能に接続されている。
【００７３】
そして、図１に示した送信装置１０の送信側重畳部１２、送信側重畳制御部１４、送信側重畳状態情報交換部１６は、図３に示した制御回路１０５およびその周辺回路によって実現されている。さらに、図１に示した映像供給部１１は、図３に示したＤＴＶ／ＢＳアンテナ１０１、チューナ１０２、デモジュレータ１０３、デマルチプレクサ１０４に対応する。図１に示した送信側通信部１７は、図３に示した無線ＨＤＭＩモジュール１０７に対応する。
【００７４】
また、図１に示した表示装置３０の表示側重畳指示部３３、重畳制御部３４、表示側重畳部３５、表示側重畳状態情報交換部４０は、図３に示した制御回路３０３およびその周辺回路によって実現されている。さらに、図１に示した表示側通信部３１は、図３に示した無線ＨＤＭＩモジュール３０１に対応する。図１に示した操作入力部３２は、図３に示したリモコン３０６、リモコン受光部３０７、操作ボタン３０８に対応する。
【００７５】
次に、ＯＳＤ表示システム１におけるＯＳＤ表示制御処理の流れについて説明する。
【００７６】
〔定期通信処理の流れ〕
図４は、ＯＳＤ表示システム１におけるＯＳＤ表示制御処理のうち、定期通信処理の流れの一例を示すフローチャートである。また、図５は、上記定期通信処理の流れの一例を示すシーケンス図である。
【００７７】
まず、表示装置３０において、表示側重畳状態情報交換部４０が、表示側重畳状態情報記憶部３９が記憶している表示装置３０の表示側ＯＳＤ情報Ｑおよび表示状態情報Ｒを送信する（Ｓ１１；ａ１）。そして、送信装置１０において、送信された表示側ＯＳＤ情報
Ｑおよび表示状態情報Ｒを送信側重畳状態情報交換部１６が受信し（Ｓ１２）、送信側重畳状態情報交換部１６が、送信側重畳状態情報記憶部１５が記憶している表示側ＯＳＤ情報Ｑおよび表示状態情報Ｒを更新する（Ｓ１３；ａ２）。
【００７８】
また、送信装置１０では、送信側重畳状態情報交換部１６が、表示側ＯＳＤ情報Ｑおよび表示状態情報Ｒを受信したとき、送信側重畳状態情報記憶部１５が記憶している送信装置１０の送信側ＯＳＤ情報Ｐ（メニュー状態）を送信する（Ｓ１４（送信側通知ステップ）；ａ３）。そして、表示装置３０において、送信された送信側ＯＳＤ情報Ｐを表示側重畳状態情報交換部４０が受信し（Ｓ１５（表示側取得ステップ））、表示側重畳状態情報交換部４０が、表示側重畳状態情報記憶部３９が記憶している送信側ＯＳＤ情報Ｐを更新する（Ｓ１６；ａ４）。
【００７９】
ＯＳＤ表示システム１は、上記のステップＳ１１〜Ｓ１６の処理を、所定の待機時間（２〜３秒程度）毎に繰り返し実行する（Ｓ１７においてＹＥＳ）。
【００８０】
また、ＯＳＤ表示システム１では、送信装置１０によるメニュー状態が変化したときは（Ｓ１８においてＹＥＳ）、上記定期通信処理（Ｓ１１〜Ｓ１６）とは別に、ＯＳＤ情報の更新を行う。具体的には、送信装置１０において、送信側重畳制御部１４の制御により、送信側重畳部１２が、映像供給部１１より取得したソース映像信号に、送信側ＯＳＤ画像記憶部１３に記憶されているＯＳＤ画像を重畳して送信側ＯＳＤ重畳映像信号を生成し（送信側重畳ステップ）、送信側通信部１７を介して、表示装置３０へ送信する（Ｓ１９（送信側通知ステップ）；ａ５）。このとき、送信側重畳部１２は、ソース映像信号にＯＳＤ画像を重畳して送信側ＯＳＤ重畳映像信号を生成する際、当該ＯＳＤ画像の種類を示す送信側ＯＳＤ情報Ｐを送信側ＯＳＤ重畳映像信号に含めて送信する。また、これと同時に、送信装置１０では、送信側重畳制御部１４が、送信側重畳部１２に重畳指示したＯＳＤ画像の種類を示す送信側ＯＳＤ情報Ｐによって、送信側重畳状態情報記憶部１５が記憶している送信側ＯＳＤ情報Ｐを更新する（Ｓ２０；ａ６）。
【００８１】
さらに、送信装置１０から送信側ＯＳＤ重畳映像信号を受信した表示装置３０では、表示側重畳状態情報交換部４０が当該送信側ＯＳＤ重畳映像信号から送信側ＯＳＤ情報Ｐを取得する（Ｓ２１（表示側取得ステップ））。そして、表示側重畳状態情報交換部４０が、上記送信側ＯＳＤ情報Ｐによって、表示側重畳状態情報記憶部３９が記憶している送信側ＯＳＤ情報Ｐを更新する（Ｓ２２；ａ７）。
【００８２】
また同様に、表示装置３０においてメニュー状態が変化したときも、表示側ＯＳＤ情報Ｑおよび表示状態情報Ｒの更新を行う。すなわち、表示装置３０の表示側重畳状態情報交換部４０が、表示側重畳状態情報記憶部３９が記憶している更新された表示側ＯＳＤ情報Ｑおよび表示状態情報Ｒを送信し、受信した送信装置１０の送信側重畳状態情報交換部１６が、送信側重畳状態情報記憶部１５が記憶している表示側ＯＳＤ情報Ｑおよび表示状態情報Ｒを更新する。
【００８３】
〔ＯＳＤ画像排他表示処理の流れ〕
図６は、ＯＳＤ表示システム１におけるＯＳＤ表示制御処理のうち、ＯＳＤ画像排他表示処理の流れの一例を示すフローチャートである。また、図７は、上記ＯＳＤ画像排他表示処理の流れの一例を示すシーケンス図である。
【００８４】
表示装置３０において、操作入力部３２が取得したユーザ操作等のイベントに応じて、ＯＳＤ画像の表示が必要となったとき、表示側重畳指示部３３が重畳制御部３４に対してＯＳＤ画像の表示を要求する（Ｓ３１；ｂ１）。このとき、重畳制御部３４は、表示側重畳状態情報記憶部３９から、ディスプレイ３７に表示しているＯＳＤ画像の状態を示す表
示状態情報Ｒを取得する（Ｓ３２）。そして、送信装置１０のＯＳＤ画像を表示中であるかを判定する（Ｓ３３；ｂ２）。
【００８５】
送信装置１０のＯＳＤ画像を表示中である場合（Ｓ３３においてＹＥＳ）、表示側重畳指示部３３から表示要求されたＯＳＤ画像の種類が、現在表示中の送信装置１０のＯＳＤ画像の種類に対して排他表示の関係であるかを判定する（Ｓ３４（重畳制御ステップ））。なお、この判定には、重畳制御用情報記憶部３８に記憶されたテーブル（ＯＳＤ種類別同時／排他表示の定義テーブルＴ１（図１２））を参照する。
【００８６】
そして、表示側重畳指示部３３から表示要求されたＯＳＤ画像の種類が排他表示の関係にある場合（Ｓ３４においてＹＥＳ）、後出し優先の種類であるかを判定する（Ｓ３５（重畳制御ステップ））。なお、この判定には、重畳制御用情報記憶部３８に記憶されたテーブル（ＯＳＤ種類別優先表示の定義テーブルＴ２（図１３））を参照する。
【００８７】
表示側重畳指示部３３から表示要求されたＯＳＤ画像が、後出し優先の種類あるいは表示装置優先の種類でない場合（Ｓ３５においてＮＯ）、表示側重畳指示部３３から表示要求されたＯＳＤ画像を表示しないことに決定する。このとき、表示できない旨を表示してもよい（Ｓ３６；ｂ３）。
【００８８】
一方、送信装置１０のＯＳＤ画像を表示中でない場合（Ｓ３３にてＮＯ）、または、表示側重畳指示部３３から表示要求されたＯＳＤ画像の種類が排他表示の関係でない場合（Ｓ３４においてＮＯ）、または、後出し優先の種類あるいは表示装置優先の種類である場合（Ｓ３６においてＹＥＳ）、表示側重畳指示部３３から表示要求されたＯＳＤ画像を表示するように、表示側重畳部３５にて、当該ＯＳＤ画像を送信側ＯＳＤ重畳映像信号に重畳して表示側ＯＳＤ重畳映像信号を生成し、ディスプレイ３７に表示する（Ｓ３７（表示側重畳ステップ））。
【００８９】
ここで、上記判定の結果、表示側重畳指示部３３から表示要求されたＯＳＤ画像がディスプレイ３７に表示されても、されなくても、表示側重畳状態情報記憶部３９に記憶されているＯＳＤ情報を更新する。具体的には、表示側重畳指示部３３から表示要求されたＯＳＤ画像がディスプレイ３７に表示されなかった場合、当該ＯＳＤ画像の種類によって表示側ＯＳＤ情報Ｑを更新する。そして、表示側重畳指示部３３から表示要求されたＯＳＤ画像がディスプレイ３７に表示された場合、上記表示側ＯＳＤ情報Ｑに加えて、表示装置３０のＯＳＤ画像を表示中であることを示す情報によって表示状態情報Ｒの更新を行う（Ｓ３８；ｂ５）。
【００９０】
つづいて、ＯＳＤ表示システム１におけるＯＳＤ表示制御処理のうち、表示装置３０のＯＳＤ画像を表示中に通信が切断した時の処理の流れについて説明する。
【００９１】
〔表示装置３０のＯＳＤ画像を表示中の通信切断時の処理の流れ〕
図８は、ＯＳＤ表示システム１におけるＯＳＤ表示制御処理のうち、表示装置３０のＯＳＤ画像を表示中の通信切断時の処理の流れの一例を示すフローチャートである。また、図９は、上記通信切断時の処理の流れの一例を示すシーケンス図である。
【００９２】
表示装置３０のＯＳＤ画像をディスプレイ３７に表示中に（Ｓ５１）、送信装置１０との通信が切断されたことを表示側通信部３１が検出したとき（Ｓ５２；ｃ１）、表示装置３０の重畳制御部３４が、送信装置１０と連動動作するメニュー等のＯＳＤ画像を表示中かどうかを判定する（Ｓ５３；ｃ２）。そして、送信装置１０と連動動作するＯＳＤ画像を表示中である場合（Ｓ５３においてＹＥＳ）、当該ＯＳＤ画像を消去する（Ｓ５４）。具体的には、当該ＯＳＤ画像を表示しないように、表示側重畳部３５にて、送信側ＯＳＤ
重畳映像信号に基づいて表示側ＯＳＤ重畳映像信号を生成し、ディスプレイ３７に表示する。
【００９３】
その後、新たに生成した表示側ＯＳＤ重畳映像信号に合わせて、表示側ＯＳＤ情報Ｑおよび表示状態情報Ｒの更新を行う（Ｓ５５；ｃ３）。
【００９４】
〔送信装置１０のＯＳＤ画像を表示中の通信切断時の処理の流れ〕
図１０は、ＯＳＤ表示システム１におけるＯＳＤ表示制御処理のうち、送信装置１０のＯＳＤ画像を表示中の通信切断時の処理の流れの一例を示すフローチャートである。また、図１１は、上記通信切断時の処理の流れの一例を示すシーケンス図である。
【００９５】
送信装置１０のＯＳＤ画像をディスプレイ３７に表示中に（Ｓ７１）、送信装置１０との通信が切断されたことを表示側通信部３１が検出したとき（Ｓ７２；ｄ１）、表示装置３０の重畳制御部３４が、送信装置１０と連動動作するメニュー等の表示側ＯＳＤ画像を表示中かどうかを判定する（Ｓ７３；ｄ２）。そして、送信装置１０と連動動作する表示側ＯＳＤ画像を表示中である場合（Ｓ７３においてＹＥＳ）、当該表示側ＯＳＤ画像を消去する（Ｓ７４）。具体的には、当該表示側ＯＳＤ画像を表示しないように、表示側重畳部３５にて、送信側ＯＳＤ重畳映像信号に基づいて表示側ＯＳＤ重畳映像信号を生成し、ディスプレイ３７に表示する。なお、送信側ＯＳＤ画像については、通信が切断されたことにより、送信側ＯＳＤ画像を重畳した送信側ＯＳＤ重畳映像信号を受信しなくなる結果、ディスプレイ３７には表示されない状態となる。
【００９６】
その後、表示側重畳状態情報記憶部３９に記憶している情報を更新する（Ｓ７５；ｄ３）。具体的には、送信側ＯＳＤ情報Ｐを「非表示」に更新する。また、表示側ＯＳＤ画像を消去した場合には、表示側ＯＳＤ情報Ｑを「非表示」に更新する。そして、それらに合わせて、表示状態情報Ｒを更新する。なお、送信側ＯＳＤ重畳映像信号を受信しないときに、ディスプレイ３７を黒画面とする場合には、表示側ＯＳＤ情報Ｑも「非表示」に更新する。
【００９７】
また、送信装置１０のＯＳＤ画像が表示装置３０のディスプレイ３７に表示されているときに（Ｓ７１）、表示装置３０との通信が切断されたことを送信側通信部１７が検出したとき（Ｓ８２；ｄ５）、送信側重畳制御部１４が、表示装置３０と連動動作するメニュー等の送信側ＯＳＤ画像を表示中かどうかを判定する（Ｓ８３；ｄ６）。そして、表示装置３０と連動動作する送信側ＯＳＤ画像を表示中である場合（Ｓ８３においてＹＥＳ）、当該送信側ＯＳＤ画像を消去する（Ｓ８４）。具体的には、当該送信側ＯＳＤ画像を表示しないように、送信側重畳部１２にて、ソース映像信号に基づいて送信側ＯＳＤ重畳映像信号を生成し、出力する。
【００９８】
その後、送信側重畳状態情報記憶部１５に記憶している情報を更新する（Ｓ８５；ｄ７）。具体的には、送信側ＯＳＤ画像を消去した場合には、送信側ＯＳＤ情報Ｐを「非表示」に更新する。また、表示側ＯＳＤ情報Ｑを「非表示」に更新する。そして、それらに合わせて、表示状態情報Ｒを更新する。
【００９９】
上記のように、無線接続された表示装置３０および送信装置１０では、無線接続が切断された際、ディスプレイ３７に表示されているのが送信側ＯＳＤ画像であるのか表示側ＯＳＤ画像であるのかによって、動作が異なる。
【０１００】
ディスプレイ３７に送信側ＯＳＤ画像の表示中に通信が切断された場合には、表示装置３０は送信装置１０から送信側ＯＳＤ重畳映像信号を受信しないため、無信号状態となる。そのため、ディスプレイ３７は、通常、黒画面となる。もちろん、ディスプレイ３７に
表示側ＯＳＤ画像のみを表示することもできる。このとき、表示装置３０では、送信側ＯＳＤ情報Ｐおよび表示状態情報Ｒの更新のみを行う。具体的には、表示側重畳状態情報交換部４０が、送信側ＯＳＤ画像の表示状態を「非表示」にする。また、送信装置１０では、送信側重畳制御部１４が送信側ＯＳＤ画像を消去するかどうかの判定を行い、消去が必要な場合は消去するとともに、送信側ＯＳＤ情報Ｐおよび表示状態情報Ｒの更新を行う。
【０１０１】
一方、ディスプレイ３７に表示側ＯＳＤ画像の表示中に通信が切断された場合には、送信装置１０では、表示側ＯＳＤ情報Ｑおよび表示状態情報Ｒの更新のみを行う。具体的には、送信側重畳状態情報交換部１６が、表示側ＯＳＤ画像の表示状態を「非表示」にする。また、表示装置３０では、表示側重畳指定部３３が表示側ＯＳＤ画像を消去するかどうかの判定を行い、消去が必要な場合は消去するとともに、表示側ＯＳＤ情報Ｑおよび表示状態情報Ｒの更新を行う。
【０１０２】
このように、切断時にＯＳＤ表示していない側の装置で管理している相手側のＯＳＤ表示の状態の情報を、無条件で「非表示」に更新する。このように更新しても、再接続時には情報が更新されるため、通信の接続後に、双方の装置の情報間に齟齬が発生することはない。
【０１０３】
以上の通り、無線接続された表示装置３０および送信装置１０において、無線接続が切断されたことを検知した際に、表示装置３０と送信装置１０は、それぞれ表示しているＯＳＤ画像の種類を確認し、解除が必要な状態（例えば、連動動作するメニューが表示されている）ならば解除を行う。また、記憶しているＯＳＤ情報（送信側ＯＳＤ情報Ｐ、表示側ＯＳＤ情報Ｑ、表示状態情報Ｒ）はいったんクリアしておき、接続が復活した際に再度更新するようにする。このようにＯＳＤ情報をクリアしておくことにより、無線切断後でも、表示装置３０単体での使用が可能となり、機器の単体動作に影響を与えずに状態管理が可能となる。
【０１０４】
〔重畳制御部３４による判断〕
ここで、図１２〜図１６を参照しながら、重畳制御部３４による判断について説明する。
【０１０５】
図１２は、重畳制御部３４が参照するＯＳＤ種類別同時／排他表示の定義テーブルＴ１の一例である。図１３は、重畳制御部３４が参照するＯＳＤ種類別優先表示の定義テーブルＴ２の一例である。
【０１０６】
また、図１４は、全画面ＯＳＤの表示例を示す説明図であり、全画面にメニューが表示されている状態を示す。図１５は、映像ありＯＳＤの表示例を示す説明図であり、画面上端の帯状領域と画面右端の帯状領域とからなるＬ字メニューが表示されている状態を示す。図１６は、小さめなＯＳＤ画像の表示例を示す説明図である。図１６の（ａ）は、小さめな通常ＯＳＤの表示例であり、ＣＨコール、音量バー、時計が表示されている状態を示す。図１６の（ｂ）は、小さめな警告ＯＳＤの表示例であり、コーションが表示されている状態を示す。図１６の（ｃ）は、ボタン付きの小さめなＯＳＤの表示例であり、表示されているフォーカスが必要なボタンが表示されている状態を示す。
【０１０７】
ＯＳＤ種類別同時／排他表示の定義テーブルＴ１は、ＯＳＤ画像の種類の組み合わせにより同時表示するのかあるいは排他表示するのかを定義したテーブルである。具体的には、図１２に示すように、ＯＳＤ種類別同時／排他表示の定義テーブルＴ１には、ＯＳＤ画像の種類（「全画面ＯＳＤ」、「映像ありＯＳＤ」、「小さめな通常ＯＳＤ」、「小さめな警告ＯＳＤ」、「ボタン付きの小さめなＯＳＤ」）の組み合わせ毎に、送信側ＯＳＤ画像と表示側ＯＳＤ画像とを同時表示するのかあるいは排他表示するのかが定義されている
。
【０１０８】
例えば、送信側ＯＳＤ画像が「映像ありＯＳＤ」であり、表示側ＯＳＤ画像が「小さめな警告ＯＳＤ」である場合、同時表示となり、どちらも表示されることになる。また、送信側ＯＳＤ画像が「全画面ＯＳＤ」であり、表示側ＯＳＤ画像が「ボタン付きの小さめなＯＳＤ」である場合、排他表示となり、どちらか一方が表示されることになる。そして、どちらを表示するかは、ＯＳＤ種類別優先表示の定義テーブルＴ２（図１３）に従って決定される。
【０１０９】
次に、ＯＳＤ種類別優先表示の定義テーブルＴ２は、排他表示の場合に、送信側ＯＳＤ画像および表示側ＯＳＤ画像のどちらを表示するのかを定義したテーブルである。具体的には、図１３に示すように、ＯＳＤ種類別優先表示の定義テーブルＴ２には、送信側ＯＳＤ画像および表示側ＯＳＤ画像が、それぞれ「小さめなＯＳＤ」、「映像ありＯＳＤ」、「全画面メニューＯＳＤ（通常）」、「全画面メニューＯＳＤ（消去不可）」である場合の組み合わせ毎に、送信側ＯＳＤ画像と表示側ＯＳＤ画像とのどちらを表示するのかが定義されている。
【０１１０】
上記の例で、送信側ＯＳＤ画像が「全画面ＯＳＤ」であり、表示側ＯＳＤ画像が「（ボタン付きの）小さめなＯＳＤ」である場合、後出し優先となる。すなわち、「全画面ＯＳＤ」の送信側ＯＳＤ画像が重畳された送信側ＯＳＤ重畳映像信号が表示装置３０に入力され、「全画面ＯＳＤ」の送信側ＯＳＤ画像がディスプレイ３７に表示されているとき、表示側重畳指示部３３が「（ボタン付きの）小さめなＯＳＤ」の表示側ＯＳＤ画像の重畳指示を重畳制御部３４に出力した場合、後出し優先であるため、「（ボタン付きの）小さめなＯＳＤ」の表示側ＯＳＤ画像が重畳されてディスプレイ３７に表示される。逆に、「（ボタン付きの）小さめなＯＳＤ」の表示側ＯＳＤ画像が重畳されてディスプレイ３７に表示されているとき、「全画面ＯＳＤ」の送信側ＯＳＤ画像が重畳された送信側ＯＳＤ重畳映像信号が表示装置３０に入力された場合、後出し優先であるため、「（ボタン付きの）小さめなＯＳＤ」の表示側ＯＳＤ画像は重畳されず、「全画面ＯＳＤ」の送信側ＯＳＤ画像のみがディスプレイ３７に表示される。
【０１１１】
このように、本実施の形態に係るＯＳＤ表示システム１では、送信装置１０のＯＳＤ画像の種類と、表示装置３０として表示が必要となったＯＳＤ画像の種類に応じて、同時表示あるいは排他表示の制御を行うことができる。したがって、操作対象となるメニューを適切に表示できるので、操作を行うときに操作対象の決定を行う必要もなく、高い操作性を持つことができる。
【０１１２】
最後に、ＯＳＤ表示システム１の送信装置１０および表示装置３０の各ブロック、特に送信装置１０の送信側重畳部１２、送信側重畳制御部１４、送信側重畳状態情報交換部１６、および、表示装置３０の表示側重畳指示部３３、重畳制御部３４、表示側重畳部３５、表示側重畳状態情報交換部４０は、ハードウェアロジックによって構成してもよいし、次のようにＣＰＵを用いてソフトウェアによって実現してもよい。
【０１１３】
後者の場合、送信装置１０および表示装置３０は、各機能を実現するプログラムの命令を実行するＣＰＵ（central processing unit）、上記プログラムを格納したＲＯＭ（read only memory）、上記プログラムを展開するＲＡＭ（random access memory）、上記プ
ログラムおよび各種データを格納するメモリ等の記憶装置（記録媒体）などを備えている。そして、本発明の目的は、上述した機能を実現するソフトウェアである送信装置１０および表示装置３０の制御プログラムのプログラムコード（実行形式プログラム、中間コードプログラム、ソースプログラム）をコンピュータで読み取り可能に記録した記録媒体を、上記送信装置１０および表示装置３０に供給し、そのコンピュータ（またはＣＰＵやＭ
ＰＵ）が記録媒体に記録されているプログラムコードを読み出し実行することによっても、達成可能である。
【０１１４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１５】
また、送信装置１０および表示装置３０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network
）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１１６】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１７】
本発明は、ディスプレイおよびそれに接続して連動動作が可能な接続機器のそれぞれのメニュー等のＯＳＤ表示を当該ディスプレイに適切に表示することができるため、ディスプレイとそれに接続して映像信号を供給する接続機器とからなる表示システムに広く利用することができる。
【符号の説明】
【０１１８】
１    ＯＳＤ表示システム（表示システム）
１０    送信装置
１２    送信側重畳部（送信側重畳手段）
１５    送信側重畳状態情報記憶部（送信側ＯＳＤ情報記憶部）
１６    送信側重畳状態情報交換部（送信側通知手段、送信側取得手段）
３０    表示装置
３３    表示側重畳指示部（重畳要求手段）
３４    重畳制御部（重畳制御手段）
３５    表示側重畳部（表示側重畳手段）
３９    表示側重畳状態情報記憶部（表示側ＯＳＤ情報記憶部）
４０    表示側重畳状態情報交換部（表示側取得手段、表示側通知手段）
Ｐ    送信側ＯＳＤ情報
Ｑ    表示側ＯＳＤ情報
Ｓ１４、Ｓ１９    送信側通知ステップ
Ｓ１５、Ｓ２１    表示側取得ステップ
Ｓ３４、Ｓ３５    重畳制御ステップ
Ｓ３７    表示側重畳ステップ
【図１】
0005558517.tif 000002
【図２】
0005558517.tif 000003
【図３】
0005558517.tif 000004
【図４】
0005558517.tif 000005
【図５】
0005558517.tif 000006
【図６】
0005558517.tif 000007
【図７】
0005558517.tif 000008
【図８】
0005558517.tif 000009
【図９】
0005558517.tif 000010
【図１０】
0005558517.tif 000011
【図１１】
0005558517.tif 000012
【図１２】
0005558517.tif 000013
【図１３】
0005558517.tif 000014
【図１４】
0005558517.tif 000015
【図１５】
0005558517.tif 000016
【図１６】
0005558517.tif 000017